(57)【特許請求の範囲】
【請求項１】
エレベータの乗りかご又はエレベータの乗場又はエレベータの乗りかご及びエレベータの乗場の両者に設けられるボタンスイッチにおいて、
前記ボタンスイッチは、金属により形成されたボタン操作面及び筒状部からなる有底筒状のボタンスイッチ表面部材に対して、前記ボタン操作面に数字や文字，シンボルなどの表示情報の抜き加工を施して表示情報孔を設け、前記ボタンスイッチ表面部材の裏面側から内面を覆うように樹脂を充填するとともに、前記ボタンスイッチ表面部材の前記表示情報孔から前記樹脂を前記ボタン操作面表面側より突出させて樹脂形成表示情報が形成され、
前記樹脂形成表示情報は、前記ボタン操作面に前記表示情報孔の抜き加工を施す際に、その周辺に発生する抜きダレを前記樹脂により覆う外形としたことを特徴とするエレベータ用ボタンスイッチ。
【請求項２】
請求項１に記載のエレベータ用ボタンスイッチにおいて、前記樹脂として光拡散性の良い材料を使用し、前記ボタンスイッチが操作された際には、前記樹脂裏面より光を点灯するように構成したことを特徴とするエレベータ用ボタンスイッチ。
【請求項３】
請求項１又は２のいずれかに記載のエレベータ用ボタンスイッチにおいて、前記ボタンスイッチ表面部材の裏面側に充填された前記樹脂には、非正円形状の凹部が形成されると共に、前記凹部に嵌合するボタンスイッチ操作片を同形状としたことを特徴とするエレベータ用ボタンスイッチ。
【請求項４】
請求項１乃至３のいずれかに記載のエレベータ用ボタンスイッチにおいて、前記ボタンスイッチ表面部材の筒状部の外周端に端部に向かって細くなる切欠きを設け、前記切欠きに前記ボタンスイッチ表面部材の裏面側に充填された前記樹脂を充填したことを特徴とするエレベータ用ボタンスイッチ。
【請求項５】
昇降路内を昇降する乗りかごを有し、前記乗りかご又は乗場又は前記乗りかご及び前記乗場の両者に設けられるボタンスイッチを有するエレベータ装置において、
前記ボタンスイッチは、金属により形成されたボタン操作面及び筒状部からなる有底筒状のボタンスイッチ表面部材に対して、前記ボタン操作面に数字や文字，シンボルなどの表示情報の抜き加工を施して表示情報孔を設け、前記ボタンスイッチ表面部材の裏面側から内面を覆うように樹脂を充填するとともに、前記ボタンスイッチ表面部材の前記表示情報孔から前記樹脂を前記ボタン操作面表面側より突出させて樹脂形成表示情報が形成され、
前記樹脂形成表示情報は、前記ボタン操作面に前記表示情報孔の抜き加工を施す際に、その周辺に発生する抜きダレを前記樹脂により覆う外形としたことを特徴とするエレベータ装置。
【発明の詳細な説明】
【技術分野】
【０００１】
本発明は、エレベータの乗りかごに設置されるかご内操作盤や、乗り場の呼びボタン装置等に実装される、乗客が操作するエレベータ用ボタンスイッチ及びそれらを備えたエレベータ装置に関する。
【背景技術】
【０００２】
従来のエレベータ用押ボタンは、健常者には視認性が良く、視覚障害者には指などによる触覚での認識が良好な文字表示として、文字やシンボルを凸化した押ボタンが提案されている（例えば特許文献１，２，３参照）。
【０００３】
また、これら押ボタンに対し、いたずら防止性向上や高級感を持たせるために操作面として金属（例えばステンレス）を、凸化した文字・シンボルとして樹脂を、それぞれ使用して金属と樹脂を一体とした押ボタンが知られている。しかし、「０」や「８」等のように文字外周と内周で切り離される島がある文字については、成形時に島を周囲の金属と切り離さないようにしていた。
【０００４】
そして従来、金属板と樹脂を一体成形する方法については、熱膨張率が異なるために、樹脂で挟み込む部分に対し金属板に一様な切欠き穴等を設けることで密着性を高めつつ、熱の影響を受け難くする技術が提案されている（例えば特許文献４参照）。
【先行技術文献】
【特許文献】
【０００５】
【特許文献１】特開２００３−１２２４８号公報
【特許文献２】特開２００４−３１５０９７号公報
【特許文献３】特開２００５−０６７９００号公報
【特許文献４】特開２００２−１９１５０８号公報
【発明の概要】
【発明が解決しようとする課題】
【０００６】
操作面が金属の押ボタンにおいて、文字・シンボルを樹脂で形成しようとする場合、材質が異なるため、樹脂と金属との密着性に課題があった。そこで特許文献４等の技術を用いることも考えられるが、操作面を金属で、文字・シンボルを凸形状である樹脂で形成した押ボタンにおいては、文字・シンボルを形成する上で文字・シンボルの大きさを考慮すると、金属板を樹脂で大きく挟み込むことができないため、密着性を高めるための一様な切欠き穴等を設けることは困難である。
【０００７】
さらに、仮に切欠き穴等を設けて金属を樹脂で挟み込んだ場合でも、ボタン裏面より光を照射して文字・シンボルを点灯させるなどの仕様を考慮した際に、前記切欠き穴等が樹脂を通して露呈されてしまうため著しく意匠性が低下してしまう。よって、従来の技術を適用することができない。
【０００８】
さらに、同じように「０」や「８」等のように島がある文字について、成形時に島を周囲の金属と切り離さないようにすると、文字・シンボルを点灯させる際に、島と周囲の金属をつなぐ橋等が露呈して同様の問題が発生し、やはり意匠性が低下してしまう。
【０００９】
本発明の目的は、操作面である金属と文字・シンボルを形成する樹脂の密着性を高め、且つ意匠性の優れたエレベータ用押ボタンスイッチ及びエレベータ装置を提供することにある。
【課題を解決するための手段】
【００１０】
本発明は、上記目的を達成するために、エレベータの乗りかご又はエレベータの乗場又はエレベータの乗りかご及びエレベータの乗場の両者に設けられるボタンスイッチにおいて、前記ボタンスイッチは、金属により形成されたボタン操作面及び筒状部からなる有底筒状のボタンスイッチ表面部材に対して、前記ボタン操作面に数字や文字，シンボルなどの表示情報の抜き加工を施して表示情報孔を設け、前記ボタンスイッチ表面部材の裏面側から内面を覆うように樹脂を充填するとともに、前記ボタンスイッチ表面部材の前記表示情報孔から前記樹脂を前記ボタン操作面表面側より突出させて樹脂形成表示情報が形成され、前記樹脂形成表示情報は、前記ボタン操作面に前記表示情報孔の抜き加工を施す際に、その周辺に発生する抜きダレを前記樹脂により覆う外形とした。
【００１１】
このように一体成形することで、金属の一部を樹脂で挟み込むことができ、密着性を高めることができる。さらに、ボタンスイッチ表面部材の裏面側から内面を覆うように樹脂を充填するとともに、抜き加工された島の部分を周囲の金属とつなぐ橋等を設けずに抜いてしまい、樹脂により形成される表示情報により、その島の部分も同様に周辺に発生する抜きダレを樹脂により覆う外形としているので、橋を設けずに強固にボタンスイッチ表面部材と樹脂が密着し、且つ樹脂により島もしっかりと保持される。
【００１２】
また、文字・シンボルが抜き加工されていることから、光拡散効率の良い樹脂を使用することで一様な切欠き穴等が存在しないため、点灯した場合でも意匠性を低下させることはない。
【発明の効果】
【００１３】
本発明によれば、操作面と文字・シンボルの密着性を向上させることができ、且つ意匠性の優れたエレベータ用押ボタンスイッチ及びそれを備えたエレベータ装置を得ることができる。
【図面の簡単な説明】
【００１４】
【図１】本実施形態における押ボタンスイッチの正面図である。
【図２】図１に示す押ボタンスイッチの側面図である。
【図３】図１に示すＡ−Ａ断面における文字・シンボル部の部分拡大図である。
【図４】従来技術の島がある文字及び本実施形態の島がある文字の正面図である。
【図５】図４（ｂ）に示す島部の部分拡大図である。
【図６】本実施形態の押ボタンスイッチボタンの背面図である。
【図７】図１の押ボタンスイッチのＡ−Ａ断面図。
【図８】本実施形態におけるエレベータ装置の全体概要を示す正面図である。
【図９】本実施形態における乗りかご内の様子を示す概略図である。
【発明を実施するための形態】
【００１５】
以下、本発明によるエレベータ用押ボタンスイッチの実施の形態を図１〜図９を用いて説明する。尚、図１〜図９において同一部品には同一符号を用いて示すことで重複する説明は省略する。
【００１６】
図８は本実施形態におけるエレベータ装置の全体概要を示す正面図である。同図に示すエレベータ装置２０は、昇降路２７内を昇降する乗りかご１とつり合いおもり２２と、乗りかご１及びつり合いおもり２２を吊持する主ロープ２３とを備えている。主ロープ２３は昇降路２７の上部に設けられた機械室２４内に設置された巻上機に取り付けられたシーブ２５と、昇降路２７内での乗りかご１とつり合いおもり２２間の距離を調整するそらせ車２６とに巻き掛けられている。このような構成により、巻上機のシーブ２５が動作すると主ロープ２３が駆動され、昇降路２７内で乗りかご１及びつり合いおもり２２が互いに上下逆方向に駆動される。
【００１７】
また、図８に示すように、エレベータ装置２０の乗りかご１が停止する各フロア２８，２９には、乗客が乗りかご１を呼ぶための乗場呼び操作盤３０が設けられており、それぞれの乗場呼び操作盤３０には押ボタンスイッチ６が設けられている。
【００１８】
なお、図８には模式的に途中階の記載を省略し、最上階フロア２８と最下階フロア２９のみを記載しているが、本発明のエレベータ装置としてはこの例に限られず、２階床のみのエレベータ装置であってもよいし、３階床以上の多数の階床を備えたエレベータ装置であってもよい。
【００１９】
図９は本実施形態における乗りかご内の様子を示す概略図である。同図９に示すように、乗りかご１には、ドア２が設けられていて、ドア２の側方に位置する前側板３には、乗りかご１に乗車した乗客が、ドア２の開閉や自分の希望する行き先階等を操作するためのかご内操作盤４が設けられている。そしてかご内操作盤４の表面プレート５には押ボタンスイッチ６が備えられている。
【００２０】
図１は本実施形態における押ボタンスイッチの正面図である。乗りかご１に設置したかご内操作盤４及び乗場呼び操作盤３０に実装している押ボタンスイッチ６は、図１に示すようにボタン部７とスイッチ部１０で構成されており、エレベータの乗りかご１の行先階の指定や、ドア２の開閉及び乗り場から乗りかご１を呼ぶかご呼びを行う際に操作されるものである。
【００２１】
本実施形態における押ボタンスイッチ６は、いたずら防止性を向上させるため、さらには意匠に高級感を持たせるためにボタン部７を金属（主にステンレス）製にしている。この場合でも、視認性や、視覚障害者でも触覚で認識し操作できるよう文字・シンボルを凸化することが望ましい。
【００２２】
ボタンスイッチ表面部材８を金属とし、文字・シンボル９を樹脂で形成するには、金属と樹脂の一体成形品とすることが製作費用を抑える手段であるが、いたずら防止の観点から金属と樹脂の密着性を高める必要がある。
【００２３】
図２は図１に示す押ボタンスイッチの側面図である。本実施形態における押ボタンスイッチ６は、樹脂と密着性を高めるために、まず平板状であったボタンスイッチ表面部材８を形成する金属に絞り加工を実施し立ち上がりを設けて筒状部を形成する。即ち、ボタンスイッチ表面部材８は金属により形成されたボタン操作面及び筒状部からなる有底筒状の形状となる（後述する図７の断面図参照）。そしてボタンスイッチ表面部材の筒状部に図２に示すような逆台形状の切欠き８ａを加工する。切欠き８ａはボタンスイッチ表面部材８の筒状部の外周端に端部に向かって細くなる形状として設けられている。さらにボタンスイッチ表面部材８の表面側より階床文字や開閉のピクトグラム等の表示情報の形状に合わせて抜き加工を行って表示情報孔を形成する。その後、ボタンスイッチ表面部材８の裏面より樹脂９ａを充填させて文字・シンボル９を形成させる。この際、切欠き８ａにもボタンスイッチ表面部材８の裏面側に充填された樹脂９ａを充填する。このように形成することで、ボタンスイッチ表面部材８の裏面側に樹脂が充填されてボタンスイッチ表面部材８の裏面の内面を覆いながら、この裏面を覆った樹脂は切欠き８ａに充填され、ボタンスイッチ表面部材８より抜け落ちることがないよう一体に強固に固定されるのである。
【００２４】
図３は図１に示すＡ−Ａ断面における文字・シンボル部の部分拡大図である。本実施形態ではさらに、ボタンスイッチ表面部材８の裏面より樹脂９ａを充填させる際に、抜き加工された表示情報孔の部分より表側まで樹脂９ａを突出させ、樹脂９ａにて樹脂形成表示情報である文字・シンボル９を形成するのである。この時、樹脂９ａにより形成される樹脂形成表示情報である文字・シンボル９は、文字・シンボル等の表示情報を切り抜いて表示情報孔の抜き加工を施す際に、表示情報孔の周辺に発生する抜きダレまでを樹脂９ａで覆う外形とされている。このように構成することで、裏面より充填された樹脂９ａとそれを表面側に突出させて形成した樹脂９ａにより形成される文字・シンボル９により、図３のようにボタンスイッチ表面部材８を挟み込み、さらに密着性を高めることができる。
【００２５】
ここで、金属を表面より抜き加工することで、ボタンスイッチ表面部材８に樹脂で挟み込ませるための抜きダレを敢えて発生させ、裏面より樹脂を充填させることで、成形時のゲート等が意匠面に現れないようにできる。さらには抜きダレ８ｂを文字・シンボル９で覆うため意匠性に優れたボタン部７となる。また、光拡散効率の良い樹脂を使用することで文字・シンボル９を点灯させる際に均一に点灯できるようにしている。
【００２６】
図４は従来技術の島がある文字及び本実施形態の島がある文字の正面図である。同図に示すように、「０」や「８」等のように島がある文字の場合でも、従来であれば島の部分が切り離されないようにするために図４（ａ）に示すように橋８０ｄを設けなければならなかった。しかし、上記のように一体成形することで、図４（ｂ）に示すように、抜き加工により切り離された文字の島８ｃを裏面から充填された樹脂９ａ及び樹脂形成表示情報である文字・シンボル９により強固に保持することができ、図４（ａ）に示すような文字の橋８０ｄを不要にできる。
【００２７】
この状態を図５に示す。図５は図４（ｂ）に示す島部の部分拡大図である。この形態では、抜き加工により切り離された文字の島８ｃの表面がボタンスイッチ表面部材８の表面と略同一面となるように保持しながら、裏面より樹脂９ａを充填させ、抜き加工された表示情報孔より表側まで樹脂９ａを突出させ、その突出した樹脂９ａによって、文字・シンボル等の表示情報孔を切り抜いた際の抜きダレまでを樹脂９ａで覆う外形の樹脂形成表示情報である文字・シンボル９を形成する。このようにすることで、樹脂９ａとボタンスイッチ表面部材８は強固に一体になっているのに加え、島８ｃも裏面は樹脂９ａに支えられながら、島８ｃの周縁は裏面から充填された樹脂９ａ及び文字・シンボル９により強固に保持される。
【００２８】
図６は本実施形態の押ボタンスイッチボタンの背面図である。同図に示すように、本実施形態では、ボタンスイッチ表面部材８の裏面の樹脂９ａに、正円ではない形状の凹部を設けている。また、図７は図１の押ボタンスイッチのＡ−Ａ断面図である。同図に示すスイッチ部１０の操作片１１も、ボタンスイッチ表面部材８の裏面の樹脂９ａに設けられた非正円形状の凹部と同様の形状とし、樹脂９ａに設けられた非正円形状の凹部と嵌合する構成とすることで、ボタン部７をスイッチ部１０に装着する際の回り止めとなり、組立作業性も良好となる。
【００２９】
本実施形態では、図７に示すように文字・シンボル９を備えたボタンスイッチ表面部材８及び樹脂９ａにより形成されるボタン部７が押されると、スイッチ部１０に設けられた操作片１１も共に押されて押下され、押された情報がスイッチ部１０よりエレベータ装置の制御部等に伝えられる。そして、操作片１１は凹化されることで、操作が受け付けられたことを示すために内部でランプ等が点灯し、この光はボタン部７を裏面から照射する。すると、金属で形成されたボタンスイッチ表面部材８からは光が洩れず、表面側に突出して形成された樹脂形成表示情報である文字・シンボル９のみが光るものとすることができる。このとき、表示情報孔の周辺には切欠き穴等は設けていない上、表示情報孔に橋等を有さないため、光る文字・シンボルの形状も表示された文字・シンボル９と同じ形状とすることができ、意匠性が向上され、また乗客への正確な情報提供が可能となる。
【００３０】
以上説明したように本実施の形態によれば、金属と樹脂の密着性を高め、且つ意匠性に優れた、組立作業性が良好な押ボタンスイッチ６を実現できる。
【００３１】
また、本発明の押ボタンスイッチを備えたエレベータ装置によれば、金属と樹脂の密着性を高めることでメンテナンス性を向上することができ、押ボタンスイッチが備えた意匠性によりエレベータ装置が据え付けられた建物の意匠性や雰囲気を優れたものとすることができる。
【００３２】
尚、本実施形態ではエレベータ用乗りかご内の操作盤、及びエレベータ乗り場で操作される乗場呼び操作盤に実装した押ボタンスイッチを例に挙げて説明したが、本発明はエレベータ用乗りかご内の操作盤のみ或いは乗場呼び操作盤のみに適用してもよい。さらに乗場呼び操作盤に用いる場合には、建屋のフロアごとに雰囲気を変えた造りになっている場合などには特定の乗場の乗場呼び操作盤のみに適用する構成としてもよい。
【符号の説明】
【００３３】
１  乗りかご
２  ドア
３  前側板
４  かご内操作盤
５  表面プレート
６  押ボタンスイッチ
７  ボタン部
８，８０  ボタンスイッチ表面部材
８ａ  切欠き
８ｂ  抜きダレ
８ｃ，８０ｃ  島
８０ｄ  橋
９，９０  文字・シンボル
９ａ  樹脂
１０  スイッチ部
１１  操作片
２０  エレベータ装置
２２  つり合いおもり
２３  主ロープ
２４  機械室
２５  シーブ
２６  そらせ車
２７  昇降路
２８  最上階フロア
２９  最下階フロア
３０  乗場呼び操作盤
【図１】
0005487130.tif 000002
【図２】
0005487130.tif 000003
【図３】
0005487130.tif 000004
【図４】
0005487130.tif 000005
【図５】
0005487130.tif 000006
【図６】
0005487130.tif 000007
【図７】
0005487130.tif 000008
【図８】
0005487130.tif 000009
【図９】
0005487130.tif 000010